(57)【要約】【課題】色毎により正確な輝度劣化補正を行うことができるプラズマディスプレイ装置及びその処理方法を提供することを課題とする。【解決手段】複数色の映像信号に対して色毎にゲイン補正するゲイン補正部（６１２）と、サステインパルスを印加し、ゲイン補正された映像信号に応じて表示を行うプラズマディスプレイパネル（６０４）とを有するプラズマディスプレイ装置が提供される。ゲイン補正部は、起動時間に対応する時間と映像負荷率とサステインパルス数又はそれに関連する値とに応じて、色毎に映像信号をゲイン補正する。【選択図】図６
2007025635.tif 000002
【特許請求の範囲】
【請求項１】
複数色の映像信号に対して色毎にゲイン補正するゲイン補正部と、
サステインパルスを印加し、前記ゲイン補正された映像信号に応じて表示を行うプラズマディスプレイパネルとを有し、
前記ゲイン補正部は、起動時間に対応する時間と映像負荷率と前記サステインパルス数又はそれに関連する値とに応じて、色毎に前記映像信号をゲイン補正することを特徴とするプラズマディスプレイ装置。
【請求項２】
前記ゲイン補正部は、色毎の映像負荷率に応じて、色毎に前記映像信号をゲイン補正することを特徴とする請求項１記載のプラズマディスプレイ装置。
【請求項３】
前記ゲイン補正部は、前記サステインパルス電圧又はそれに依存する係数に応じて、色毎に前記映像信号をゲイン補正することを特徴とする請求項１又は２記載のプラズマディスプレイ装置。
【請求項４】
複数色の映像信号に対して色毎にゲイン補正するゲイン補正部と、
サステインパルスを印加し、前記ゲイン補正された映像信号に応じて放電による表示を行うプラズマディスプレイパネルとを有し、
前記ゲイン補正部は、起動時間に対応する時間と前記放電の電力とに応じて、色毎に前記映像信号をゲイン補正することを特徴とするプラズマディスプレイ装置。
【請求項５】
前記ゲイン補正部は、前記サステインパルス電圧又はそれに依存する係数に応じて、色毎に前記映像信号をゲイン補正することを特徴とする請求項４記載のプラズマディスプレイ装置。
【請求項６】
前記複数色は、赤、緑及び青色の３色であって、
前記ゲイン補正部は、赤、緑及び青色毎に前記映像信号をゲイン補正することを特徴とする請求項１〜５のいずれか１項に記載のプラズマディスプレイ装置。
【請求項７】
前記ゲイン補正部は、色毎に異なるゲイン補正を行うことを特徴とする請求項１〜６のいずれか１項に記載のプラズマディスプレイ装置。
【請求項８】
前記ゲイン補正部は、前記プラズマディスプレイパネルの輝度劣化係数及び前記プラズマディスプレイパネルの色度変化係数に応じて、色毎に前記映像信号をゲイン補正することを特徴とする請求項１〜７のいずれか１項に記載のプラズマディスプレイ装置。
【請求項９】
前記ゲイン補正部は、前記プラズマディスプレイパネルの輝度劣化係数、前記プラズマディスプレイパネルの色度変化係数及び前記プラズマディスプレイパネルの前面に設けられる前面フィルタの特性に応じて、色毎に前記映像信号をゲイン補正することを特徴とする請求項１〜７のいずれか１項に記載のプラズマディスプレイ装置。
【請求項１０】
複数色の映像信号に対して色毎にゲイン補正するゲイン補正部と、サステインパルスを印加し、前記ゲイン補正された映像信号に応じて表示を行うプラズマディスプレイパネルとを有するプラズマディスプレイ装置の処理方法であって、
起動時間に対応する時間と映像負荷率と前記サステインパルス数又はそれに関連する値とに応じて、色毎に前記映像信号をゲイン補正するゲイン補正ステップと、
前記ゲイン補正された映像信号に応じて表示を行う表示ステップと
を有することを特徴とするプラズマディスプレイ装置の処理方法。
【請求項１１】
複数色の映像信号に対して色毎にゲイン補正するゲイン補正部と、サステインパルスを印加し、前記ゲイン補正された映像信号に応じて放電による表示を行うプラズマディスプレイパネルとを有するプラズマディスプレイ装置の処理方法であって、
起動時間に対応する時間と前記放電の電力とに応じて、色毎に前記映像信号をゲイン補正するゲイン補正ステップと、
前記ゲイン補正された映像信号に応じて表示を行う表示ステップと
を有することを特徴とするプラズマディスプレイ装置の処理方法。
【発明の詳細な説明】
【技術分野】
【０００１】
本発明は、プラズマディスプレイ装置及びその処理方法に関する。
【背景技術】
【０００２】
プラズマディスプレイ表示装置では、赤、緑及び青の各蛍光体が劣化する。その劣化割合は色毎に異なるため、ホワイトバランスが変化してしまい、画質の劣化が発生していた。下記の特許文献１には、起動時間累積値に応じてＲＧＢの各アンプのゲイン制御値を補正するプラズマディスプレイ表示装置が開示されている。また、下記の特許文献２には、セル毎の放電用有効パルスの印加数の累積値に基づいて推定される各セル間での輝度レベルの差が補正されるようにして、放電用有効パルスの印加が行われるように制御するディスプレイ装置が開示されている。
【０００３】
【特許文献１】特開２００４−６１８６３号公報
【特許文献２】特開２００４−２４０１０１号公報
【発明の開示】
【発明が解決しようとする課題】
【０００４】
しかし、起動時間累積値だけでゲインを補正すると、映像の負荷による輝度劣化差が反映されず、正確な輝度劣化特性を予測することができない。また、各セル毎に放電用有効パルスの印加数を累積するには、回路規模の増大及び記憶装置の追加等によるコストアップ、また記憶装置への保存時間の確保等の問題がある。また、放電用有効パルス電圧の差による寿命特性の変化が反映されず、より正確な輝度劣化特性を予測することができない問題がある。
【０００５】
本発明の目的は、色毎により正確な輝度劣化補正を行うことができるプラズマディスプレイ装置及びその処理方法を提供することである。
【課題を解決するための手段】
【０００６】
本発明のプラズマディスプレイ装置は、複数色の映像信号に対して色毎にゲイン補正するゲイン補正部と、サステインパルスを印加し、ゲイン補正された映像信号に応じて表示を行うプラズマディスプレイパネルとを有する。ゲイン補正部は、起動時間に対応する時間と映像負荷率とサステインパルス数又はそれに関連する値とに応じて、色毎に映像信号をゲイン補正することを特徴とする。
【０００７】
また、本発明のプラズマディスプレイ装置は、複数色の映像信号に対して色毎にゲイン補正するゲイン補正部と、サステインパルスを印加し、ゲイン補正された映像信号に応じて放電による表示を行うプラズマディスプレイパネルとを有する。ゲイン補正部は、起動時間に対応する時間と放電の電力とに応じて、色毎に映像信号をゲイン補正することを特徴とする。
【０００８】
また、プラズマディスプレイ装置の処理方法は、複数色の映像信号に対して色毎にゲイン補正するゲイン補正部と、サステインパルスを印加し、ゲイン補正された映像信号に応じて表示を行うプラズマディスプレイパネルとを有するプラズマディスプレイ装置の処理方法であって、起動時間に対応する時間と映像負荷率とサステインパルス数又はそれに関連する値とに応じて、色毎に映像信号をゲイン補正するゲイン補正ステップと、ゲイン補正された映像信号に応じて表示を行う表示ステップとを有することを特徴とする。
【０００９】
また、プラズマディスプレイ装置の処理方法は、複数色の映像信号に対して色毎にゲイン補正するゲイン補正部と、サステインパルスを印加し、ゲイン補正された映像信号に応じて放電による表示を行うプラズマディスプレイパネルとを有するプラズマディスプレイ装置の処理方法であって、起動時間に対応する時間と放電の電力とに応じて、色毎に映像信号をゲイン補正するゲイン補正ステップと、ゲイン補正された映像信号に応じて表示を行う表示ステップとを有することを特徴とする。
【発明の効果】
【００１０】
色毎により正確な輝度劣化補正を行うことができるので、ホワイトバランスを維持し、画質の劣化を防止することができる。
【発明を実施するための最良の形態】
【００１１】
図１は、本発明の実施形態によるプラズマディスプレイ装置の構成例を示す図である。本実施形態におけるプラズマディスプレイ装置は、互いに平行な走査電極（表示電極）Ｙ１〜Ｙｎ及び表示電極Ｘ１〜Ｘｎが設けられるとともに、これらの電極Ｙ１〜Ｙｎ、Ｘ１〜Ｘｎと直交する方向に（交差するように）アドレス電極Ａ１〜Ａｊが設けられている。表示電極Ｘ１〜Ｘｎは、各走査電極Ｙ１〜Ｙｎに対応してこれに接近して設けられている。
【００１２】
表示パネル１は、ｍ行ｎ列のマトリクス状に配置された複数のセルを備える。各セルＣｉｊは、走査電極Ｙｉ及びアドレス電極Ａｊの交点並びにそれに対応して隣接する表示電極Ｘｉにより形成される。このセルＣｉｊが表示画像の１画素に対応し、表示パネル１は２次元画像を表示することができる。
【００１３】
また、表示パネル１は、表示領域２と、その周囲に設けられた非表示領域（以下、「ダミー表示領域」とも称す。）３とを有する。表示領域２は、入力映像信号（入力データ）Ｄに基づく表示画像を表示する領域であり、この領域２内のセルについては、入力映像信号Ｄに応じて各電極Ｘ、Ｙ、Ａが駆動される。一方、ダミー表示領域３は、入力映像信号Ｄにかかわらず常に黒とする領域であり、この領域３内のセルについては、常に黒画像表示に対応した駆動が各電極Ｘ、Ｙ、Ａになされる。
【００１４】
表示電極Ｘ１〜Ｘｎは、ドライバ制御部１０の制御に応じて、表示電極Ｘ１〜Ｘｎに所定の電圧（駆動パルス）を供給するＸ側共通ドライバ４の出力端に接続されている。また、走査電極Ｙ１〜Ｙｎは、ドライバ制御部１０及びＹ側共通ドライバ６の制御に応じて、走査電極Ｙ１〜Ｙｎに所定の電圧（駆動パルス）を供給するＹ側スキャンドライバ５の出力端に接続されている。アドレス電極Ａ１〜Ａｊは、表示データ制御部１１及びドライバ制御部１０の制御に応じて、アドレス電極Ａ１〜Ａｊに所定の電圧（駆動パルス）を印加するアドレスドライバ７の出力端に接続されている。
【００１５】
Ｘ側共通ドライバ４は放電を繰り返す回路からなり、アドレスドライバ７は表示すべき列を選択する回路からなる。また、Ｙ側スキャンドライバ５及びＹ側共通ドライバ６によりＹ側回路を構成し、Ｙ側回路は線順次走査する回路と放電を繰り返す回路とからなる。Ｙ側回路内の線順次走査する回路とアドレスドライバ７によりどこのセルを点灯させるかを決め、Ｘ側共通ドライバ４とＹ側回路内の放電を繰り返す回路により放電を繰り返すことによって、プラズマディスプレイ装置の表示動作を行う。
【００１６】
ロジック部８は、輝度／電力制御部９、ドライバ制御部１０、表示データ制御部１１、及び検出部１２を有する。ロジック部８は、外部からの入力映像信号Ｄ、入力映像信号Ｄの読み込みタイミングを示すドットクロックＣＬＫ、水平同期信号ＨＳ、及び垂直同期信号ＶＳに基づいて制御信号を生成し、それをＸ側共通ドライバ４、Ｙ側スキャンドライバ５、Ｙ側共通ドライバ６、及びアドレスドライバ７に供給する。
【００１７】
具体的にはロジック部８において、ドライバ制御部１０が、輝度／電力制御部９及び表示データ制御部１１からの信号に基づいて制御信号を生成し出力する。このとき、ドライバ制御部１０は、ドライバ４〜７から各電極Ｘ、Ｙ、Ａにそれぞれ印加する駆動パルスを、検出部１２から供給される各データに応じて適宜変更するようにして制御信号を生成する。
【００１８】
ここで、検出部１２からドライバ制御部１０に供給されるデータには、プラズマディスプレイ装置の起動時間、表示パネル１の表示電極Ｘ１〜Ｘｎ及び走査電極Ｙ１〜Ｙｎにサステインパルスを印加する際の放電の電力（電流）、及びサステインパルス電圧を示すデータがある。すなわち、検出部１２は、上述した起動時間、放電の電力値及びサステインパルス電圧を検出し、検出結果に基づくデータをドライバ制御部１０に供給する。上記の起動時間は、プラズマディスプレイ装置に対して電源が供給された累積時間（電源供給時間）である。また、上記の放電の電力は、表示パネル１内の表示電極Ｘ１〜Ｘｎ及び走査電極Ｙ１〜Ｙｎに流れる電流を検出することにより得られる。
【００１９】
表示データ制御部１１は、入力映像信号Ｄに応じて映像負荷率を検出し、ドライバ制御部１０に出力する。映像負荷率は、発光する画素数及びその発光する画素の階調値を基に検出される。例えば、画像の全画素が最大階調値で表示されている場合は映像負荷率が１００％である。また、画像の全画素が最大階調値の１／２で表示されている場合は映像負荷率が５０％である。また、画像の半分（５０％）の画素のみが最大階調値で表示されているような場合にも、映像負荷率が５０％である。
【００２０】
輝度／電力制御部９は、ドライバ制御部１０から上記の放電の電力又は映像負荷率を入力し、それに基づいて電力が一定になるように、表示電極Ｘ１〜Ｘｎ及び走査電極Ｙ１〜Ｙｎに印加するサステインパルス数を決定し、ドライバ制御部１０に出力する。ドライバ制御部１０は、決定されたサステインパルス数のサステインパルスを表示電極Ｘ１〜Ｘｎ及び走査電極Ｙ１〜Ｙｎに印加するように、ドライバ４及び５を制御する。
【００２１】
入力映像信号Ｄは、赤、緑及び青色の信号線によりパラレルに供給されるデジタル信号である。表示データ制御部１１は、色毎に入力映像信号Ｄをゲイン補正する。これにより、色毎の輝度劣化補正を行うことができ、ホワイトバランスを維持し、画質の劣化を防止することができる。ドライバ制御部１０は、上記の起動時間、映像負荷率、サステインパルス数、放電の電力、及び／又はサステインパルス電圧を基に輝度劣化特性時間（輝度劣化特性データ）を演算し、表示データ制御部１１の色毎のゲイン補正量を制御する。これらの詳細は、後に説明する。
【００２２】
図２（Ａ）は、１画素である第ｉ行第ｊ列のセルＣｉｊの断面構成例を示す図である。図２（Ａ）において、表示電極Ｘｉ及び走査電極Ｙｉは、前面ガラス基板３１上に形成されている。その上には、放電空間３７に対し絶縁するための誘電体層３２が被着されるとともに、更にその上にＭｇＯ（酸化マグネシウム）保護膜３３が被着されている。
【００２３】
一方、アドレス電極Ａｊは、前面ガラス基板３１と対向して配置された背面ガラス基板３４上に形成され、その上には誘電体層３５が被着され、更にその上に蛍光体３８が被着されている。ＭｇＯ保護膜３３と誘電体層３５との間の放電空間３７には、Ｎｅ＋Ｘｅペニングガス等が封入されている。
【００２４】
図２（Ｂ）は、プラズマディスプレイの容量Ｃｐについて説明するための図である、図２（Ｂ）に示すように、プラズマディスプレイの各セルには、放電空間３７、表示電極Ｘｉと走査電極Ｙｉの間、及び前面ガラス基板３１にそれぞれ容量成分Ｃａ、Ｃｂ、Ｃｃが存在し、これらの合計によってセル１つ当たりの容量Ｃｐcellが決まる（Ｃｐcell＝Ｃａ＋Ｃｂ＋Ｃｃ）。すべてのセルの容量Ｃｐcellの合計がパネル容量Ｃｐである。
【００２５】
図２（Ｃ）は、プラズマディスプレイの発光について説明するための図である。図２（Ｃ）に示すように、リブ３６の内面には、赤、青、緑色の蛍光体３８がストライプ状に各色毎に配列、塗布されており、表示電極Ｘｉ及び走査電極Ｙｉの間の放電によって蛍光体３８を励起して発光するようになっている。
【００２６】
図３は、図１に示したプラズマディスプレイ装置の駆動回路の構成例を示す図である。図３に示す駆動回路は、図１におけるＸ側共通ドライバ４、Ｙ側スキャンドライバ５、及びＹ側共通ドライバ６に対応するものである。
【００２７】
図３において、容量負荷（以下、「負荷」と称す。）４０は、上述した複数の表示電極Ｘ１〜Ｘｎの中の任意の１つの表示電極Ｘと、複数の走査電極Ｙ１〜Ｙｎの中の任意の１つの走査電極Ｙとの間に形成されているセルの合計の容量である。負荷４０には、共通電極Ｘと走査電極Ｙが形成されている。
【００２８】
走査電極Ｙを駆動するためのＹ側回路は、１つのコンデンサＣＹ１と５つのスイッチＳＷＹ１〜ＳＷＹ５を備える。
スイッチＳＷＹ１、ＳＷＹ２は、電源から供給される電圧Ｖｓの電源ライン（電源線）と基準電位としてのグランド（ＧＮＤ）との間に直列に接続される。２つのスイッチＳＷＹ１、ＳＷＹ２の相互接続点にはコンデンサＣＹ１の一方の端子が接続され、コンデンサＣＹ１の他方の端子とグランドとの間にはスイッチＳＷＹ３が接続される。なお、コンデンサＣＹ１の一方の端子に接続される信号ラインを第１の信号ラインＯＵＴＡＹとし、他方の端子に接続される信号ラインを第２の信号ラインＯＵＴＢＹとする。
【００２９】
スイッチＳＷＹ４、ＳＷＹ５は、電源回路２２のコンデンサＣＹ１の両端に直列に接続される。すなわち、スイッチＳＷＹ４、ＳＷＹ５は、第１及び第２の信号ラインＯＵＴＡＹ、ＯＵＴＢＹ間に直列接続される。２つのスイッチＳＷＹ４、ＳＷＹ５の相互接続点は、出力ラインＯＵＴＣＹを介して負荷４０の走査電極Ｙに接続される。
【００３０】
また、共通電極Ｘを駆動するためのＸ側回路は、上述したＹ側回路と同様に構成されるので説明は省略する。
【００３１】
図３に示した駆動回路のＹ側において、スイッチＳＷＹ１、ＳＷＹ３、及びＳＷＹ４をオンにし、スイッチＳＷＹ２、ＳＷＹ５をオフにすることで、コンデンサＣＹ１にスイッチＳＷＹ１、ＳＷＹ３により与えられる電圧Ｖｓに応じた電荷が蓄積されるとともに、第１の信号ラインＯＵＴＡＹの電圧Ｖｓが出力ラインＯＵＴＣＹを介して負荷４０に印加される。
【００３２】
また、コンデンサＣＹ１に電圧Ｖｓに応じた電荷が蓄積された状態で、スイッチＳＷＹ２、ＳＷＹ５をオンにし、スイッチＳＷＹ１、ＳＷＹ３、ＳＷＹ４をオフにすることで、第２の信号ラインＯＵＴＢＹの電圧が（−Ｖｓ）となり、その電圧（−Ｖｓ）が出力ラインＯＵＴＣＹを介して負荷４０に印加される。
【００３３】
このようにして、負荷４０の走査電極Ｙに対して正の電圧Ｖｓと負の電圧（−Ｖｓ）とを交互に印加する。同様に、負荷４０の共通電極Ｘに対しても、同様のスイッチング制御を行うことにより、正の電圧Ｖｓと負の電圧（−Ｖｓ）とを交互に印加する。このとき、走査電極Ｙ及び共通電極Ｘに印加する電圧（±Ｖｓ）は、互いに位相が逆の関係となるようにする。すなわち、走査電極Ｙに正の電圧Ｖｓが印加されている場合には、共通電極Ｘに負の電圧（−Ｖｓ）を印加するようにする。これにより、走査電極Ｙと共通電極Ｘとの間に放電を行うことが可能な電位差を生じさせることができる。
【００３４】
図４は、画像の１フレームＦＲの構成例を示す図である。画像は、例えば６０フレーム／秒で形成される。１フレームＦＲは、第１のサブフレームＳＦ１、第２のサブフレームＳＦ２、…、第ｎのサブフレームＳＦｎにより形成される。このｎは、例えば１０であり、階調ビット数に相当する。サブフレームＳＦ１、ＳＦ２等の各々を又はそれらの総称を、以下、「サブフレームＳＦ」と称す。
【００３５】
各サブフレームＳＦは、リセット期間Ｔｒ、アドレス期間Ｔａ、及びサステイン期間（維持放電期間）Ｔｓを有する。リセット期間Ｔｒでは、表示セルの初期化を行う。アドレス期間Ｔａでは、アドレス指定により各表示セルの点灯又は非点灯を選択することができる。選択されたセルはサステイン期間Ｔｓで発光を行う。各サブフィールドＳＦにおいて発光回数（時間）が異なる。これにより、階調値を決めることができる。
【００３６】
図５は、図１に示したプラズマディスプレイ装置の基本動作例を示す波形図である。図５は、１つのサブフィールド分において、共通電極Ｘ、走査電極Ｙ、アドレス電極Ａに対して印加する駆動パルス（電圧）の波形例を示している。１つのサブフィールドは、上述したように全面書き込み期間及び全面消去期間からなるリセット期間と、アドレス期間と、維持放電期間とに区分される。
【００３７】
リセット期間においては、まず、共通電極Ｘに印加する電圧が基準電位としてのグランドレベルから（−Ｖｓ）に引き下げられる。一方、走査電極Ｙに印加される電圧が時間経過とともに徐々に上昇して、最終的に書き込み電圧Ｖｗが走査電極Ｙに印加される。
このようにして、共通電極Ｘと走査電極Ｙにリセットパルスが印加されて電極間の電位差が（Ｖｓ＋Ｖｗ）となり、以前の表示状態にかかわらず、全表示ラインの全セルで放電が行われ、壁電荷が形成される（全面書き込み）。
【００３８】
次に、共通電極Ｘ及び走査電極Ｙの電圧をグランドレベルに戻した後、共通電極Ｘに対する電圧がグランドレベルからＶｓまで引き上げるとともに、走査電極Ｙに対する印加電圧が（−Ｖｓ）に引き下げられる。これにより、全セルにおいて壁電荷自身の電圧が放電開始電圧を越えて放電が開始され、蓄積されていた壁電荷が消去される（全面消去）。
【００３９】
次に、アドレス期間においては、入力映像信号に応じて各セルのオン／オフを行うために、線順次でアドレス放電が行われる。このとき、共通電極Ｘには、電圧Ｖｓが印加される。また、ある表示ラインに相当する走査電極Ｙに電圧を印加するときには、線順次により選択された走査電極Ｙには（−Ｖｓ）レベルのスキャンパルス、非選択の走査電極Ｙにはグランドレベルの電圧が印加される。
【００４０】
このとき、各アドレス電極Ａ１〜Ａｍ中の維持放電を起こすセル、すなわち点灯させるセルに対応するアドレス電極Ａｊには、電圧Ｖａのアドレスパルスが選択的に印加される。この結果、点灯させるセルのアドレス電極Ａｊと線順次で選択された走査電極Ｙとの間で放電が起こり、これをプライミング（種火）として共通電極Ｘ及び走査電極Ｙの上のＭｇＯ保護膜面に、次の維持放電が可能な量の壁電荷が蓄積される。
【００４１】
その後、維持放電期間になると、各表示ラインの共通電極Ｘと走査電極Ｙとに互いに極性の異なる電圧（＋Ｖｓ、−Ｖｓ）を交互に印加して維持放電を行い、１サブフィールドの映像を表示する。なお、互いに極性の異なる電圧を交互に印加する動作は、サステイン動作と呼ばれ、サステイン動作中の電圧（＋Ｖｓ、−Ｖｓ）のパルスはサステインパルスと呼ばれる。
【００４２】
なお、維持放電期間において、走査電極Ｙに対して最初に高電圧を印加する時のみ電圧（Ｖｓ＋Ｖｘ）を印加する。この電圧Ｖｘは、アドレス期間に発生した壁電荷の電圧に加えることで維持放電に必要な電圧を生成する上乗せ分の電圧である。
【００４３】
図６は、図１のプラズマディスプレイ装置の表示データ制御部１１内のゲイン補正部の構成例を示す図である。データコンバータ６０１は、映像負荷率検出部６１１及びゲイン補正部６１２を有し、映像信号Ｄを入力し、色毎に映像信号Ｄをゲイン補正し、プラズマディスプレイパネル（ＰＤＰ）６０４に出力する。ゲイン補正部６１２の構成は、後に図７を参照しながら説明する。プラズマディスプレイパネル６０４は、図１の表示パネル１及びドライバ４〜７を有し、ゲイン補正部６１２で色毎にゲイン補正された映像信号に応じて表示を行う。
【００４４】
映像負荷率検出部６１１は、映像信号Ｄに応じて映像負荷率を検出し、マイクロプロセッサ（ＭＰＵ）６０２に出力する。映像負荷率は、発光する画素数及びその発光する画素の階調値を基に検出される。例えば、画像の全画素が最大階調値で表示されている場合は映像負荷率が１００％である。また、画像の全画素が最大階調値の１／２で表示されている場合は映像負荷率が５０％である。また、画像の半分（５０％）の画素のみが最大階調値で表示されているような場合にも、映像負荷率が５０％である。
【００４５】
マイクロプロセッサ６０２は、サステインパルス電圧検出部６２１、サステインパルス数検出部６２２及びサステイン放電電力検出部６２３を有し、データコンバータ６０１及びＥＥＰＲＯＭ（不揮発性メモリ）６０３に対して入出力可能である。
【００４６】
サステインパルス電圧検出部６２１は、図５のサステインパルス電圧Ｖｓを検出する。サステインパルス電圧Ｖｓは、プラズマディスプレイパネル６０４毎にばらつきにより異なる値を有する。
【００４７】
サステインパルス数検出部６２２は、図５の維持放電期間におけるサステインパルスの数を検出する。サステインパルス数は、図１の輝度／電力制御部９の電力一定制御により変化する。
【００４８】
サステイン放電電力検出部６２３は、図１の検出部１２に対応し、維持放電期間におけるサステインパルスにより放電が生じたときの表示電極Ｘ１〜Ｘｎ及び走査電極Ｙ１〜Ｙｎに電流が流れる際の電力を検出する。サステイン放電電力は、表示パネル１内の表示電極Ｘ１〜Ｘｎ及び走査電極Ｙ１〜Ｙｎに流れる電流を検出することにより得られる。
【００４９】
ＥＥＰＲＯＭ６０３は、起動時間６３１及び輝度劣化特性時間６３２を記憶する。マイクロプロセッサ６０２は、起動時間６３１及び輝度劣化特性時間６３２を演算し、ＥＥＰＲＯＭ６０３に記録する。起動時間は、プラズマディスプレイ装置に対して電源が供給され、映像表示（黒表示も含む）が行われた時間（映像表示時間）である。
【００５０】
また、マイクロプロセッサ６０２は、上記の起動時間、映像負荷率、サステインパルス数、サステイン放電電力、及び／又はサステインパルス電圧を基に輝度劣化特性時間（輝度劣化特性データ）６３２を演算し、ＥＥＰＲＯＭ６０３に記録する。また、マイクロプロセッサ６０２は、輝度劣化特性時間６３２に応じて、ゲイン補正部６１２のゲイン補正を制御する。ゲイン補正部６１２は、マイクロプロセッサ６０２の制御により、色毎にゲイン補正を行う。その詳細は、後に説明する。
【００５１】
図７は、図６のゲイン補正部６１２の構成例を示す図である。映像信号Ｄは、赤の映像信号ＤＲ、緑の映像信号ＤＧ及び青の映像信号ＤＢを有する。ゲイン補正部７０１Ｒは、マイクロプロセッサ６０２の制御により、赤の映像信号ＤＲをゲイン補正する。ゲイン補正部７０１Ｇは、マイクロプロセッサ６０２の制御により、緑の映像信号ＤＧをゲイン補正する。ゲイン補正部７０１Ｂは、マイクロプロセッサ６０２の制御により、青の映像信号ＤＢをゲイン補正する。
【００５２】
図８は、時間と輝度劣化割合との関係例を示すグラフである。横軸は時間を対数表示し、縦軸は各色の映像信号の輝度劣化割合を示す。例えば、特性線８０１は赤の劣化割合特性を示し、特性線８０２は緑の劣化割合特性を示し、特性線８０３は青の劣化割合特性を示す。初期時の時間が０のとき、赤、緑及び青の特性線８０１〜８０３の輝度劣化割合を１とし、時間経過に応じた輝度劣化割合を示す。各色に応じて、劣化割合が異なる。赤の特性線８０１は劣化し難く、青の特性線８０１は劣化し易い。この結果、時間の経過と共に、ホワイトバランスが崩れ、赤みがかった画像表示になる。
【００５３】
この特性線８０１〜８０３のデータは、例えば図６のマイクロプロセッサ６０２内にテーブルデータとして格納されている。図６の輝度劣化特性時間６３２は、図８の横軸の時間に対応する。例えば、輝度劣化特性時間６３２が時間ｔ３の場合、３色の中で最も輝度劣化値が小さいものに合うように、３色の映像信号ＤＲ，ＤＧ，ＤＢのゲイン補正を行う。すなわち、輝度劣化値が最も小さいのが青の劣化割合８０３の０．５であるので、全色の劣化割合が０．５になるように、映像信号ＤＲ，ＤＧ，ＤＢのゲイン補正を行う。色毎に異なるゲイン補正を行うことができる。
【００５４】
輝度劣化特性時間Ｔ１は、次式（１）で表される。Ｔ２は所定時間間隔で計測される起動時間、Ｋ１は映像負荷率、Ｎｓはサステインパルス数である。Ｂ１は上記特性線を求める際の条件から算出した係数であり、例えば図８の特性となる映像負荷率×サステインパルス数に対応する数値である。Ｋ２はサステインパルス電圧Ｖｓに依存する係数である。すなわち、Ｔ２×Ｎｓ×Ｋ１／（Ｂ１×Ｋ２）を時間経過に応じて累積加算し、輝度劣化特性時間Ｔ１を求める。なお、Ｔ２は起動時間に対応する時間でもよく、Ｎｓはサステインパルス数に関連する値でもよく、Ｋ２はサステインパルス電圧Ｖｓそのものでもよい。
Ｔ１＝Σ｛Ｔ２×Ｎｓ×Ｋ１／（Ｂ１×Ｋ２）｝      ・・・（１）
【００５５】
各パラメータが輝度劣化特性時間Ｔ１に影響する理由を、以下説明する。まず、起動時間Ｔ２に応じて、図２（Ｃ）の赤、緑及び青の各蛍光体３８が劣化し、各色の輝度が劣化することは明らかである。したがって、起動時間Ｔ２は、輝度劣化特性時間Ｔ１に影響する。
【００５６】
図９は、映像負荷率Ｋ１とサステイン放電電力との関係例を示すグラフである。仮にサステインパルス数が一定であるとすると、映像負荷率が大きくなるに従い、サステイン放電電力も大きくなる。そこで、図１の輝度／電力制御部９は、電力の増加を抑制するため、映像負荷率が大きいときには、例えば電力が一定になるように、サステインパルス数を制御する。具体的には、映像負荷率が大きくなると、サステインパルス数を減らす。その結果、図９に示すように、映像負荷率が大きいときには、電力が一定になる。
【００５７】
図１０は、上記のＮｓ（サステインパルス数に関連する値）×Ｋ１（映像負荷率）とＫ１（映像負荷率）との関係例を示すグラフである。上記のように、電力一定制御により、映像負荷率Ｋ１が大きくなると、サステインパルス数Ｎｓが減る。その結果、映像負荷率Ｋ１が大きくなると、Ｎｓ×Ｋ１が一定の特性を示す。すなわち、Ｎｓ×Ｋ１は、図９のサステイン放電電力と類似した特性を示す。
【００５８】
サステイン放電電力が大きいほど、サステイン放電による発光回数が多くなるので、輝度劣化し易くなる。すなわち、Ｎｓ×Ｋ１が大きいほど、輝度劣化し易くなる。これにより、輝度劣化特性時間Ｔ１は、Ｎｓ×Ｋ１に依存する。
【００５９】
なお、映像負荷率は、フレーム毎に演算されるものである。そこで、まず、Ｎｓ×Ｋ１の値の最大値を１として、Ｎｓ×Ｋ１の値を正規化する。例えば、１秒当たり１フレームの表示を行う場合には、Ｎｓ×Ｋ１が１のときには１秒とし、Ｎｓ×Ｋ１が０．５のときには０．５秒とする。その時間を、上記式（１）のＮｓ×Ｋ１として表現する。また、その時間を所定期間累積してＮｓ×Ｋ１として表現してもよい。
【００６０】
図１１は、サステインパルス電圧毎の映像負荷率Ｋ１とサステインパルス数Ｎｓとの関係例を示すグラフである。例えば、特性線１１０１Ｌはサステインパルスの駆動電圧Ｖｓが８０Ｖのときの特性を示し、特性線１１０２Ｈはサステインパルスの駆動電圧Ｖｓが８２Ｖのときの特性を示す。図１１より、駆動電圧Ｖｓの設定値が異なると図１０の特性（平坦部）が異なってしまう。蛍光体の基本劣化特性は、電力（電圧×電流）により決まると考えられる。設定する駆動電圧が変わっても駆動電力が変わらなければ、その分だけ電流（サステインパルス数）を減らすように制御することにより、蛍光体の基本劣化特性は駆動電圧Ｖｓに依存することは無い。従って、図１０の映像負荷率×サステインパルス数（或いはサステインパルス数に関連する値）の特性は、駆動電圧Ｖｓの設定によらず映像負荷率により決まる。よって、基準のパネルにより求めた（映像負荷率）対（サステインパルス数、或いはサステインパルス数に関連する値）のテーブル、又は演算式により図１０の特性を駆動電圧Ｖｓに依存せずに求めることができる。
【００６１】
図１２は、サステインパルス電圧毎の時間と輝度劣化割合との関係例を示すグラフである。横軸の時間は対数で表す。例えば、特性線１２０１Ｌはサステインパルス電圧Ｖｓが８０Ｖのときの特性を示し、特性線１２０２Ｈはサステインパルス電圧Ｖｓが８２Ｖのときの特性を示す。サステインパルス電圧Ｖｓが高いと、強いサステイン放電が生じ、同じ電力が加わっても電圧に依存し、輝度の劣化特性が異なる蛍光体もある。また、電圧が高いと、無効電力（充電電力）が増加し、その分放電電力は減る。そこで、この特性を考慮し、サステインパルス電圧Ｖｓに依存する係数Ｋ２を用いる。これにより、より正確に輝度劣化によるゲイン補正を行うことができる。
【００６２】
なお、上式（１）において、サステインパルス電圧Ｖｓに依存する係数Ｋ２を省略してもよい。その場合、輝度劣化特性時間Ｔ１は、次式（２）で表すことができる。
Ｔ１＝Σ（Ｔ２×Ｎｓ×Ｋ１／Ｂ１）                ・・・（２）
【００６３】
また、上述したように、上式（１）及び（２）において、Ｎｓ×Ｋ１は、図９のサステイン放電電力Ｐ１に置き換えることができる。その場合、輝度劣化特性時間Ｔ１は、次式（３）及び（４）で表すことができる。
Ｔ１＝Σ｛Ｔ２×Ｐ１／（Ｂ１×Ｋ２）｝            ・・・（３）
Ｔ１＝Σ（Ｔ２×Ｐ１／Ｂ１）                      ・・・（４）
【００６４】
また、映像負荷率Ｋ１は、フレーム毎に１つの映像負荷率を演算してもよいし、１フレーム内で色毎に演算してもよい。その場合、赤の映像負荷率Ｋ１、緑の映像負荷率Ｋ１及び青の映像負荷率Ｋ１が求められる。その結果、赤の輝度劣化特性時間Ｔ１、緑の輝度劣化特性時間Ｔ１及び青の輝度劣化特性時間Ｔ１が求められる。例えば、図８において、赤の輝度劣化特性時間Ｔ１がｔ１、緑の輝度劣化特性時間Ｔ１がｔ２、青の輝度劣化特性時間Ｔ１がｔ３であったとする。その場合、赤の輝度劣化が約１、緑の輝度劣化が約０．８５、青の輝度劣化特性が約０．５になる。この場合、上述と同様に、輝度劣化値の最も小さい青の輝度劣化値０．５に合わせる。図７の赤のゲイン補正部７０１Ｒは、輝度劣化補正のため１から０．５にゲイン補正する。緑のゲイン補正部７０１Ｇは、０．５／０．８５＝０．５９にゲイン補正する。青のゲイン補正部７０１Ｂは、ゲイン補正する必要がなく、入力映像信号ＤＢをそのまま出力すればよい。
【００６５】
以上のように、本実施形態によれば、上記の起動時間Ｔ２、映像負荷率Ｋ１、サステインパルス数Ｎｓ、サステイン放電電力Ｐ１、及び／又はサステインパルス電圧Ｖｓに依存する係数Ｋ２を基に輝度劣化特性時間（輝度劣化特性データ）Ｔ１を演算し、色毎に映像信号をゲイン補正する。これにより、色毎により正確な輝度劣化補正を行うことができ、ホワイトバランスを維持し、画質の劣化を防止することができる。
【００６６】
図１３は、輝度劣化係数及び色度変化係数を基にゲイン補正係数を生成する回路構成例を示す図である。時間Ｔ１は、上記の輝度劣化特性時間Ｔ１である。輝度劣化係数テーブル１３０１は、時間Ｔ１及び蛍光体３８（プラズマディスプレイパネル６０４）の輝度劣化係数（ゲイン補正係数）の対応関係を記憶するルックアップテーブルである。上記の実施形態では、輝度劣化係数テーブル１３０１が時間Ｔ１を基に、赤のゲイン補正係数１３１１Ｒ、緑のゲイン補正係数１３１１Ｇ及び青のゲイン補正係数１３１１Ｂをそれぞれ図７のゲイン補正部７０１Ｒ、７０１Ｇ及び７０１Ｂに出力する。ゲイン補正部７０１Ｒ、７０１Ｇ及び７０１Ｂは、それぞれゲイン補正係数１３１１Ｒ、１３１１Ｇ及び１３１１Ｂを基に映像信号ＤＲ、ＤＧ及びＤＢをゲイン補正する。
【００６７】
図１３では、輝度劣化係数テーブル１３０１の他に、色度変化係数テーブル１３０２及びゲイン補正係数生成部１３０３が設けられる。色度変化係数テーブル１３０２は、時間Ｔ１及び蛍光体３８（プラズマディスプレイパネル６０４）の色度変化係数（ゲイン補正係数）の対応関係を記憶するルックアップテーブルである。輝度劣化係数テーブル１３０１は、時間Ｔ１を基に、赤の輝度劣化係数（ゲイン補正係数）１３１１Ｒ、緑の輝度劣化係数（ゲイン補正係数）１３１１Ｇ及び青の輝度劣化係数（ゲイン補正係数）１３１１Ｂを出力する。輝度劣化係数１３１１Ｒ、１３１１Ｇ及び１３１１Ｂは、上記の実施形態に示した時間経過に伴う各色の蛍光体３８の輝度劣化を補正するためのゲイン補正係数である。色度変化係数テーブル１３０２は、時間Ｔ１を基に、赤の色度変化係数（ゲイン補正係数）１３１２Ｒ、緑の色度変化係数（ゲイン補正係数）１３１２Ｇ及び青の色度変化係数（ゲイン補正係数）１３１２Ｂを出力する。色度変化係数１３１２Ｒ、１３１２Ｇ及び１３１２Ｂは、後に詳述する時間経過に伴う各色の蛍光体３８の色度変化を補正するためのゲイン補正係数である。ゲイン補正係数生成部１３０３は、赤の輝度劣化係数１３１１Ｒ、緑の輝度劣化係数１３１１Ｇ、青の輝度劣化係数１３１１Ｂ、赤の色度変化係数１３１２Ｒ、緑の色度変化係数１３１２Ｇ及び青の色度変化係数１３１２Ｂを基に、赤のゲイン補正係数１３１３Ｒ、緑のゲイン補正係数１３１３Ｇ及び青のゲイン補正係数１３１３Ｂを生成し、それぞれ図７のゲイン補正部７０１Ｒ、７０１Ｇ及び７０１Ｂに出力する。ゲイン補正部７０１Ｒ、７０１Ｇ及び７０１Ｂは、それぞれゲイン補正係数１３１３Ｒ、１３１３Ｇ及び１３１３Ｂを基に映像信号ＤＲ、ＤＧ及びＤＢをゲイン補正する。
【００６８】
図１４は、色度を示す図である。横軸が色度のｘ軸であり、縦軸が色度のｙ軸を示す。例えば、ｘ＝０．２９及びｙ＝０．３１の色度付近が白色、ｙが大きくなると緑色、ｘが大きくなると赤、ｘ及びｙが小さくなると青になる。座標１４０１は、例えば時間Ｔ１が０である初期の蛍光体３８の白の色度点を示す。この色度点１４０１は、時間経過と共に移動してしまう。座標１４０２は、例えば時間Ｔ１が６万時間となり、色度変化係数１３１２Ｒ、１３１２Ｇ及び１３１２Ｂを使用せず、輝度劣化係数１３１１Ｒ、１３１１Ｇ及び１３１１Ｂのみを用いてゲイン補正を行った後の白の色度点を示す。赤、緑及び青の蛍光体３８は、輝度のみならず、色度も変化するので、その影響で輝度劣化割合を補正しても、色度点１４０２のように色度がずれてしまう。この色度ずれも考慮して、赤、緑及び青のゲイン補正係数を調整することにより、色度を動かさない又は色度を任意の方向に動かすことができる。例えば、色度変化係数１３１２Ｒ、１３１２Ｇ及び１３１２Ｂを用いて、色度を動かさないようにゲイン補正することにより、色度点１４０２を初期の色度点１４０１に戻すことができる。また、色度変化係数１３１２Ｒ、１３１２Ｇ及び１３１２Ｂを用いて、色度を任意の方向に動かすようにゲイン補正することにより、色度点１４０２を所望の色度点１４０３に動かすことができる。
【００６９】
ゲイン補正係数生成部１３０３は、輝度劣化係数１３１１Ｒ、１３１１Ｇ、１３１１Ｂ及び色度変化係数１３１２Ｒ、１３１２Ｇ、１３１２Ｂを基にゲイン補正係数１３１３Ｒ、１３１３Ｇ、１３１３Ｂを生成することにより、時間Ｔ１が例えば６万時間になったときには、時間経過に伴い変化した色度点を色度点１４０１に戻したり、所望の色度点１４０３に移動させることができる。
【００７０】
輝度劣化係数１３１１Ｒ、１３１１Ｇ及び１３１１Ｂによるゲイン補正だけでも、大きな効果を得ることができる。その補正による色度の変化は、比較的小さなものである。色度変化係数１３１２Ｒ、１３１２Ｇ及び１３１２Ｂは、その小さな色度変化を補正するものである。輝度劣化係数１３１１Ｒ、１３１１Ｇ、１３１１Ｂ及び色度変化係数１３１２Ｒ、１３１２Ｇ、１３１２Ｂを用いてゲイン補正することにより、より正確なゲイン補正を行うことができる。
【００７１】
図１５は、時間Ｔ１及び色度のｘ値の関係例を示すグラフである。横軸が時間Ｔ１［ｈｏｕｒ］を示し、縦軸が色度のｘ相対値を示す。変化特性１５０１Ｒは、時間Ｔ１に対する赤の色度のｘ値の変化を示す特性である。変化特性１５０１Ｇは、時間Ｔ１に対する緑の色度のｘ値の変化を示す特性である。変化特性１５０１Ｂは、時間Ｔ１に対する青の色度のｘ値の変化を示す特性である。
【００７２】
図１６は、時間Ｔ１及び色度のｙ値の関係例を示すグラフである。横軸が時間Ｔ１［ｈｏｕｒ］を示し、縦軸が色度のｙ相対値を示す。変化特性１６０１Ｒは、時間Ｔ１に対する赤の色度のｙ値の変化を示す特性である。変化特性１６０１Ｇは、時間Ｔ１に対する緑の色度のｙ値の変化を示す特性である。変化特性１６０１Ｂは、時間Ｔ１に対する青の色度のｙ値の変化を示す特性である。
【００７３】
色度変化係数テーブル１３０２は、例えば図１５及び図１６に示す色度のｘ値及びｙ値の変化を補正するための色度変化係数１３１２Ｒ、１３１２Ｇ及び１３１２Ｂを出力する。
【００７４】
以上のように、輝度劣化係数１３１１Ｒ、１３１１Ｇ、１３１１Ｂ及び色度変化係数１３１２Ｒ、１３１２Ｇ、１３１２Ｂを基にゲイン補正係数１３１３Ｒ、１３１３Ｇ、１３１３Ｂを生成することにより、時間経過に伴う各色の蛍光体の輝度劣化及び各色の蛍光体の色度変化を補正することができる。
【００７５】
図１７は、輝度劣化係数、色度変化係数及び前面フィルタ特性を基にゲイン補正係数を生成する回路構成例を示す図であり、図１３に前面フィルタ特性テーブル１７０１を追加したものである。前面フィルタ特性テーブル１７０１は、後に詳述する前面フィルタ特性（図１９）を記憶するテーブルであり、前面フィルタ特性１７１１を出力する。ゲイン補正係数生成部１３０３は、輝度劣化係数１３１１Ｒ、１３１１Ｇ、１３１１Ｂ、色度変化係数１３１２Ｒ、１３１２Ｇ、１３１２Ｂ、時間Ｔ１及び前面フィルタ特性１７１１を基に、赤のゲイン補正係数１３１３Ｒ、緑のゲイン補正係数１３１３Ｇ及び青のゲイン補正係数１３１３Ｂを生成し、それぞれ図７のゲイン補正部７０１Ｒ、７０１Ｇ及び７０１Ｂに出力する。ゲイン補正部７０１Ｒ、７０１Ｇ及び７０１Ｂは、それぞれゲイン補正係数１３１３Ｒ、１３１３Ｇ及び１３１３Ｂを基に映像信号ＤＲ、ＤＧ及びＤＢをゲイン補正する。
【００７６】
図１８は、図２（Ａ）の断面図に前面フィルタ１８０１を追加した構成例を示す図である。前面フィルタ１８０１は、前面ガラス基板３１に対して、接触するように設けてもよいし、離れるように設けてもよい。前面フィルタ１８０１は、不要な電磁波を遮蔽するために設けられる。前面フィルタ１８０１は、プラズマディスプレイパネル６０４の前面に設けられる。
【００７７】
図１９は、前面フィルタ１８０１の特性例を示すグラフである。横軸が波長を示し、縦軸が透過率を示す。前面フィルタ１８０１は、例えば６００ｎｍ付近の波長の光を遮断する特性を有する。
【００７８】
図２０は、プラズマディスプレイパネル６０４の発光強度の例を示すグラフである。横軸が波長を示し、縦軸がプラズマディスプレイパネル６０４の発光強度を示す。プラズマディスプレイパネル６０４は、蛍光体３８の発光の他に、ネオン（Ｎｅ）放電によるネオン発光を含む。例えば、６００ｎｍ付近の波長でネオン発光が生じる。図１９の特性を持つ前面フィルタ１８０１を使用することにより、各色に合わせた波長の透過特性や、ネオン発光の波長の遮断割合等を制御することができる。
【００７９】
ネオン発光の透過割合において、前面フィルタ１８０１がある場合と、ない場合とで寿命による単色色度の変化の見え方がかなり変わる場合が考えられる。その場合は、前面フィルタ特性テーブル１７０１を用いたゲイン補正が必要になる。また、図２０の発光強度特性において、時間経過と共に、蛍光体３８が発光する波長が少し変化することがある。波長が変化すると、図１９の前面フィルタ特性により、透過率が異なる。したがって、その透過率を考慮して、各色のゲイン補正係数を生成する必要がある。
【００８０】
前面フィルタ特性テーブル１７０１は、図１９の前面フィルタ特性を記憶し、前面フィルタ特性１７１１を出力する。ゲイン補正係数生成部１３０３は、時間Ｔ１及び前面フィルタ特性１７１１を基に、ゲイン補正係数１３１３Ｒ、１３１３Ｇ及び１３１３Ｂを生成する。
【００８１】
以上のように、前面フィルタ１８０１がない場合には、前面フィルタ特性テーブル１７０１を用いたゲイン補正は不要であるが、前面フィルタ１８０１を使用する場合には、前面フィルタ特性テーブル１７０１を用いることにより、より正確なゲイン補正を行うことができる。
【００８２】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００８３】
【図１】本発明の実施形態によるプラズマディスプレイ装置の構成例を示す図である。
【図２】図２（Ａ）〜（Ｃ）はセルの断面構成例を示す図である。
【図３】図１に示したプラズマディスプレイ装置の駆動回路の構成例を示す図である。
【図４】画像の１フレームの構成例を示す図である。
【図５】図１に示したプラズマディスプレイ装置の基本動作例を示す波形図である。
【図６】図１のプラズマディスプレイ装置のゲイン補正部の構成例を示す図である。
【図７】図６のゲイン補正部の構成例を示す図である。
【図８】時間と輝度劣化割合との関係例を示すグラフである。
【図９】映像負荷率とサステイン放電電力との関係例を示すグラフである。
【図１０】Ｎｓ（サステインパルス数）×Ｋ１（映像負荷率）とＫ１（映像負荷率）との関係例を示すグラフである。
【図１１】サステインパルス電圧毎の映像負荷率とサステインパルス数との関係例を示すグラフである。
【図１２】サステインパルス電圧毎の時間と輝度劣化割合との関係例を示すグラフである。
【図１３】輝度劣化係数及び色度変化係数を基にゲイン補正係数を生成する回路構成例を示す図である。
【図１４】色度を示す図である。
【図１５】時間及び色度のｘ値の関係例を示すグラフである。
【図１６】時間及び色度のｙ値の関係例を示すグラフである。
【図１７】輝度劣化係数、色度変化係数及び前面フィルタ特性を基にゲイン補正係数を生成する回路構成例を示す図である。
【図１８】図２（Ａ）の断面図に前面フィルタを追加した構成例を示す図である。
【図１９】前面フィルタの特性例を示すグラフである。
【図２０】プラズマディスプレイパネルの発光強度の例を示すグラフである。
【符号の説明】
【００８４】
６０１  データコンバータ
６０２  マイクロプロセッサ（ＭＰＵ）
６０３  ＥＥＰＲＯＭ
６０４  プラズマディスプレイパネル（ＰＤＰ）
６１１  映像負荷率検出部
６１２  ゲイン補正部
６２１  サステインパルス電圧検出部
６２２  サステインパルス数検出部
６２３  サステイン放電電力検出部
６３１  起動時間
６３２  輝度劣化特性時間
【図１】
2007025635.tif 000003
【図２】
2007025635.tif 000004
【図３】
2007025635.tif 000005
【図４】
2007025635.tif 000006
【図５】
2007025635.tif 000007
【図６】
2007025635.tif 000008
【図７】
2007025635.tif 000009
【図８】
2007025635.tif 000010
【図９】
2007025635.tif 000011
【図１０】
2007025635.tif 000012
【図１１】
2007025635.tif 000013
【図１２】
2007025635.tif 000014
【図１３】
2007025635.tif 000015
【図１４】
2007025635.tif 000016
【図１５】
2007025635.tif 000017
【図１６】
2007025635.tif 000018
【図１７】
2007025635.tif 000019
【図１８】
2007025635.tif 000020
【図１９】
2007025635.tif 000021
【図２０】
2007025635.tif 000022